(57)【特許請求の範囲】
【請求項１】
前面に両開扉を設けた格納ボックス内に設置された男性用の小便器であって、底部に排出口が形成された凹部形状の小便受部と、前記凹部形状の小便受部に連続して凹部形状が上部方向に縦長に形成された小便器背部及び小便器側壁部と、前記小便器背部及び小便器側壁部の上部に位置する小便器頂部と、を含む手段からなり、前記小便受部、小便器背部、小便器側壁部及び小便器頂部のうち少なくとも小便受部が可撓性材料からなり、前記両開扉が開時には前記小便受部には外力が作用せず前記小便受部の周縁部の形状が平面視で略半円形状になり、前記両開扉が閉時には前記小便受部が前記両開扉による圧縮力を受け前記小便受部の周縁部の形状が平面視で押し潰された形状になり前記格納ボックス内に格納されることを特徴とする格納型小便器。
【請求項２】
前記格納ボックスの上方に手洗器を配設し、前記手洗器の排水口と格納ボックス内の格納型小便器の上部に位置する小便器頂部との間に小便器用洗浄水を流下させる連結管を設け、前記小便器頂部内部には前記連結管と接続し前記洗浄水を溜める洗浄水溜り部を設け、前記洗浄水溜り部から格納型小便器の下部に位置する小便受部の周縁部に至る範囲に連続させて流水路を設け、前記洗浄水溜り部及び前記流水路に複数の小孔を設けたことを特徴とする請求項１に記載の格納型小便器。
【発明の詳細な説明】
【技術分野】
【０００１】
本発明は一般家庭のトイレットルームに設置される男性用の格納型小便器に関する。
【背景技術】
【０００２】
一般家庭のトイレットルームは、ホテルやオフィスビルなどのトイレットルームに比べて狭いため、ホテルやオフィスビルなどに設置されている男性用小便器を設置することができず、洋式和式を問わず大小便兼用の便器が設置されている。
【０００３】
例えば、小便器本体と、回動自在に開閉する便座ならびに小便器カバーと、で構成される男女兼用の洋式便器において、前記便座には、基部裏面の回動枢軸部間に小便受入口と、小便落下口と、遮断壁と、で形成される小便受け凹部を設け、前記便座カバー蓋は、前記遮断壁の背面部を回避する形状を有して前記便座の回動に対して同調または単独で回動し、前記便座本体には、前記小便受け凹部を覆被ならびに密閉して下方に斜面部を有する小便受け格納部を設け、前記便座の起立時は男子用の小便器として使用し、前記便座の伏塞時は男女兼用の洋式小便器として使用できるという技術が開示されている（特許文献１参照）。
【先行技術文献】
【特許文献】
【０００４】
【特許文献１】特開２０１０−２２９８１４号公報
【発明の概要】
【発明が解決しようとする課題】
【０００５】
特許文献１の発明は、成人男性が立った姿で膝くらいの高さの便器に向けて放尿をするので、小便の飛ぶ方向の規制を常に安定させることが難しく、かつ小便の飛ぶ距離が長いほど飛散面積が広くなる。このため、小便は便座の上や便器外の床面に飛び散ることになり、便座や床面が汚れてしまい悪臭も漂いやすいという問題があった。
【０００６】
また、放尿後の手洗いを行う手洗い器が、便器の水回り器の近傍に設けることが一般的であるため、放尿をするときに立っていた位置から手洗い器までの距離があることから手洗い時の姿勢が傾き姿勢になるため手洗い器周辺に水を散らしてしまうという問題もあった。
【０００７】
本発明はこうした問題に鑑み創案されたもので、一般家庭の狭いトイレットルームにおいて、小便の飛ぶ距離を短くでき、放尿した位置で真っ直ぐに立った姿勢でそのまま手洗いができる男性用の格納型小便器を提供することを課題とする。
【課題を解決するための手段】
【０００８】
請求項１に記載の格納型小便器１は、前面に両開扉１０を設けた格納ボックス２内に設置された男性用の小便器であって、底部に排出口が形成された凹部形状の小便受部３と、前記凹部形状の小便受部３に連続して凹部形状が上部方向に縦長に形成された小便器背部４及び小便器側壁部５と、前記小便器背部４及び小便器側壁部５の上部に位置する小便器頂部６と、を含む手段からなり、前記小便受部３、小便器背部４、小便器側壁部５及び小便器頂部６のうち少なくとも小便受部３が可撓性材料からなり、前記両開扉１０が開時には前記小便受部３には外力が作用せず前記小便受部３の周縁部１１の形状が平面視で略半円形状になり、前記両開扉１０が閉時には前記小便受部３が前記両開扉１０による圧縮力を受け前記小便受部３の周縁部１１の形状が平面視で押し潰された形状になり前記格納ボックス２内に格納されることを特徴とする。
【０００９】
請求項２に記載の格納型小便器１は、請求項１において、前記格納ボックス２の上方に手洗器２０を配設し、前記手洗器２０の排水口２５と格納ボックス２内の格納型小便器１の上部に位置する小便器頂部６との間に小便器用洗浄水を流下させる連結管２１を設け、前記小便器頂部６内部には前記連結管２１と接続し前記洗浄水を溜める洗浄水溜り部２２を設け、前記洗浄水溜り部２２から格納型小便器１の下部に位置する小便受部３の周縁部１１に至る範囲に連続させて流水路２３を設け、前記洗浄水溜り部２２及び前記流水路２３に複数の小孔２４を設けたことを特徴とする。
【発明の効果】
【００１０】
請求項１に記載の格納型小便器１は、使用時には両開扉１０を開くので小便受部３には外力が加わらないので、小便受部３は最大に大きくなった凹形状となる。男性が立った姿勢で小便の人体における噴出位置と小便受部３との距離を最短化できるので、小便の飛ぶ距離が短くなるし、小便受部３を押し潰されないときの大きさであり、通常使用するときの大きさまで大きくすることができるので、放尿時の小便が床面４０などに飛散することがなくなるという効果を奏する。これにより、トイレットルーム内の床面４０などを清潔に保つことができ異臭が生じないという効果を奏する。
【００１１】
また、両開扉１０の扉を閉の状態にしたときは、前記扉１０が小便受部３の周縁部１１に当接してさらに圧縮力を加えるので、可撓性を有する材料からなる小便受部３の周縁部１１は、押し潰されて小便受部３は格納ボックス２内に格納される。これにより、使用後で両開扉１０を閉じた状態のときに見えるのは両開扉１０の外観のみであるので、前記両開扉１０の表面の模様や色彩でトイレットルーム内の雰囲気を変えるという効果がある。
【００１２】
男性用の小便器をトイレットルーム内の壁面４１に一部嵌め込む形態で設置できるので、一般家庭の狭いトイレットルームにも設置できるという効果を奏する。
【００１３】
請求項２に記載の発明は、請求項１と同じ効果を奏する。さらに、男性用小便器の上部に手洗器２０を配設したので、手洗いに使用した水を小便器の洗浄水として再利用でき、さらに用便後、楽にそのままの素直に立った姿勢で手洗いできるので手洗い水が飛散しなくなり、床面４０が清潔にきれいに維持できるという効果を奏する。
【００１４】
男性用小便器の上部に配設した手洗器２０の使用水を洗浄水として下部に配設した小便器の背部や小便受部３に流下するので、水の有効活用を図ることができ、かつ小便器の洗浄ができ小便器の清潔さが維持できるという効果を奏する。
【図面の簡単な説明】
【００１５】
【図１】本発明の格納型小便器１の両開扉開時の正面概要図である。
【図２】図１における断面Ａ−Ａの右側面概要図である。
【図３】図１における断面Ｂ−Ｂの平面概要図である。
【図４】図１における断面Ｂ−Ｂで両開扉閉時の平面概要図である。
【図５】本発明の格納型小便器の両開扉閉時の正面概要図である。
【図６】本発明の格納型小便器の両開扉閉時の右側面概要図である。
【図７】図１又は図２でのＣ点における小便受部の周縁部の縦断面図概要図である。
【発明を実施するための形態】
【００１６】
本発明に係る男性用の格納型小便器１の実施形態を図１乃至図４で説明する。格納型小便器１は、前面に両開扉１０を設けた格納ボックス２内に設置された男性用の小便器であって、底部に排出口が形成された凹部形状の小便受部３と、前記凹部形状の小便受部３に連続して凹部形状が上部方向に縦長に形成された小便器背部４及び小便器側壁部５と、前記小便器背部４及び小便器側壁部５の上部に位置する小便器頂部６と、を含む手段からなり、前記小便受部３、小便器背部４、小便器側壁部５及び小便器頂部６のうち少なくとも小便受部３が可撓性材料からなり、前記両開扉１０が開時には前記小便受部３には外力が作用せず前記小便受部３の周縁部１１の形状が平面視で略半円形状になり、前記両開扉１０が閉時には前記小便受部３が前記両開扉１０による圧縮力を受け前記小便受部３の周縁部１１の形状が平面視で押し潰された形状になり前記格納ボックス２内に格納される格納型小便器１である。
【００１７】
そして、格納ボックス２の上方に手洗器２０を配設し、前記手洗器２０の排水口と格納ボックス２内の格納型小便器１の上部に位置する小便器頂部６との間に小便器用洗浄水を流下させる連結管２１を設け、前記小便器頂部６内部には前記連結管２１と接続し前記洗浄水を溜める洗浄水溜り部２２を設け、前記洗浄水溜り部２２から格納型小便器１の下部に位置する小便受部３の周縁部１１に至る範囲に連続させて流水路２３を設け、前記洗浄水溜り部２２及び前記流水路２３に複数の小孔２４を設けている。
【００１８】
格納ボックス２は、図３、図４又は図６に示すように、トイレットルーム内において大便器と入口の間の壁面４１に半埋込状に取り付けられ、大便器に行くときに身体が格納ボックス２に触れない深さまで埋め込んで取り付ける。
【００１９】
格納ボックス２の前側は両開扉１０になっており、前記両開扉１０は格納ボックス２の左右の側壁とそれぞれ上下２か所でスライド丁番３０により取り付けている。スライド丁番３０を使用することによって設置後においても扉の取り付け位置の調整ができる。また、格納ボックス２の天板及び底板の前部中央にキャッチ金具３１を取り付ける。これにより扉を閉じた状態を維持することができる。
【００２０】
格納ボックス２の中に小便器を設置し、扉が閉状態のときは、図４に示すように、扉の内側の面が前記小便器の小便受器３の周縁部１１に当接し小便受器３の周縁部１１を圧縮させて小便受部３の周縁部１１が押し潰された状態で小便受部３が格納ボックス内に格納される。
【００２１】
手洗器２０は、格納ボックス２より上方に配設され、給水栓２７が取り付けられ、底部には排水口が設けられて、前記排水口から下方に位置する格納ボックス２内の小便器頂部６と接続させた連結管２１が設置されている。
【００２２】
これにより、給水栓２７からの水を手洗水として使用した後にその排水を小便器の洗浄水として再利用することができる。
【００２３】
小便器は、底部に排出口が形成された凹部形状の小便受部３と、前記凹部形状の小便受部３に連続して凹部形状が上部方向に縦長に形成された小便器側壁部５及び小便器背部４と、小便器側壁部５及び小便器背部４の上部に位置する小便器頂部６を含む構成とからなる。そして、小便受部３、小便器側壁部５、小便器背部４及び小便器頂部６のうち少なくとも小便受部３が、ゴム、プラスチック、エラストマーや高分子樹脂などの可撓性材料からなる。
【００２４】
少なくとも凹部形状を有する小便受部３が扉を閉める圧縮力で押し潰され格納ボックス２内に収まることにより、図６に示すように、壁からの突き出る幅を小さくすることができるので、小便器不使用時は狭いスペースのトイレットルーム内でありながら入口から大便器までに行くときに歩行の邪魔にならないし、また図５に示すように、両開扉１０を閉じると全く小便器を目にすることがなく格納ボックス２の扉の色や模様などによってはトイレットルーム内を明るく楽しい雰囲気にすることもできる。
【００２５】
そして、扉を開にすると、図３に示すように、閉められた扉の圧縮力で押し潰されていた小便受部３が拡張し本来の形状である略半円形状に変化する。これにより、小便の飛ぶ距離が短くなりかつ小便受け部が広くなるので小便が床面４０に飛び散ったりしない。そのため清潔さが維持できるし異臭がすることもない。
【００２６】
そして、前記小便器頂部６内部には前記連結管２１と接続し前記洗浄水を溜める洗浄水溜り部２２を設け、前記洗浄水溜り部２２の左右両端から小便器前面の左右の側壁部の外周縁部１１に沿って格納型小便器１の下部に位置する小便受部３の周縁部１１に至る範囲に連続させて、小便受部中央部Ｃ点における小便受部３の縦断面を表した図７に示すような流水路２３を設け、前記洗浄水溜り部２２及び前記流水路２３に複数の小孔２４を設けている。
【００２７】
これにより、洗浄水が、小便器頂部６から小便器背部４に流下し、小便器前面の左右の外周縁部１１から小便器左右の側壁部５に流下し、小便受部３の周縁部１１から凹部形状の小便受部３に流下するので、小便器内壁部全体に亘って万遍なく洗浄することができる。
【００２８】
前記小便器の小便受部３の底部には、小便及び洗浄水を排出させる排水金具付排水口２５を設けている。これにより、小便受部３に小便及び洗浄水を溜まりにくくし小便器の清潔さを維持している。また、前記排水口２５の下端には排水用の排水管２６が連結されている。
【符号の説明】
【００２９】
１      格納型小便器
２      格納ボックス
３      小便受部
４      小便器背部
５      小便器側壁部
６      小便器頂部
１０    両開扉
１１    周縁部
２０    手洗器
２１    連結管
２２    水溜り部
２３    流水路
２４    小孔
２５    排水口
２６    排水管
２７    給水栓
３０    スライド丁番
３１    キャッチ金具
４０    床面
４１    壁面
Ｃ      小便受部中央部
【図１】
0005804416.tif 000002
【図２】
0005804416.tif 000003
【図３】
0005804416.tif 000004
【図４】
0005804416.tif 000005
【図５】
0005804416.tif 000006
【図６】
0005804416.tif 000007
【図７】
0005804416.tif 000008